(57)【要約】【課題】商品へのいたずらがし難く、そのいたずらを容易に確認できる。【解決手段】前後板１、３、両側板２、２、底板５、６及び蓋板７からなり、一方の側板２の上縁に副蓋板８を連接し、蓋板の先端縁の差し込み片１０を差し込み口１２に差し込み、その差し込み片１０両側の鉤片１１を差し込み口の両側縁に係止する四角状包装箱である。差し込み口の長さＬ１を鉤片１１と差し込み片１０の両幅を足した長さＬ２より短く設定し、差し込み口を側板の上縁より後方に至る幅ｔとし、かつ、差し込み口の後方の蓋板に指掛け孔１３を形成し、その孔から鉤片に至るミシン目１４を形成する。商品を収納して一旦封緘すると、ミシン目１４を切断して差し込み片を分断しない限り開封することができない。このため、開封して商品にいたずらしようとしても、開封の痕跡が残ることとなり、不正の発見が容易になるので、いたずらを未然に防止することができる。【選択図】図２
2015229519.tif 000002
【特許請求の範囲】
【請求項１】
前後板（１、３）、両側板（２、２）、底板（５、６）及び蓋板（７）を有し、前記前後板（１、３）、両側板（２、２）の一の板（２）にその上縁から内側に延びる副蓋板（８）を連接し、前記蓋板（７）の先端縁に差し込み片（１０）を設け、その差し込み片（１０）を前記副蓋板（８）を連接した一の板（２）と副蓋板（８）との連接部の差し込み口（１２）に差し込み、その差し込み片（１０）両側縁から突出する鉤片（１１）を前記差し込み口（１２）の両側縁をなす前記副蓋板（８）の縁（１２ａ）に係止する四角状包装箱（Ｐ）あって、
上記差し込み口（１２）のその長さ方向の長さ（Ｌ１）を上記鉤片（１１）と差し込み片（１０）の両幅を足した長さ（Ｌ２）より短く設定するとともに、その差し込み口（１２）を上記連接した板（２）の上縁より後方に至る幅（ｔ）とし、その連接した一の板（２）の上縁から後方の差し込み口（１２）の縁をなす上記副蓋板（８）の縁（１２ａ）に前記鉤片（１１）の付け根（１１ａ）を係止するようにし、  
かつ、前記差し込み口（１２）の後方の蓋板（７）に指掛け孔（１３）を形成し、その指掛け孔（１３）から上記鉤片（１１）の付け根（１１ａ）に至るミシン目（１４）を形成したことを特徴とする四角状包装箱。
【請求項２】
上記指掛け孔（１３）内に嵌る舌片（１７）をその指掛け孔（１３）の縁をなす副蓋板（８）に設けたことを特徴とする請求項１に記載の四角状包装箱。
【発明の詳細な説明】
【技術分野】
【０００１】
この発明は、開封（開緘）の痕跡を残すことによって、包装した商品へのいたずらを防止する四角状包装箱に関するものである。
【背景技術】
【０００２】
封緘した蓋板をロックする四角状包装箱として、例えば、特許文献１の図２を参照して説明すると、前板１（同公報の符号、以下同じ）にその上縁から内側に延びる副蓋板７を連接し、蓋板６の先端縁に差し込み片１４を設け、その差し込み片１４を前板１と副蓋板７との間（折れ線上）の差し込み口１７に差し込み、その差し込み片１４両側縁から突出する鉤片１４ｂを差し込み口１７の係嵌部１７ａの両側縁に係止してロックするものがある。
【０００３】
また、差し込み片を差し込み口に差し込んで封緘した後、その差し込み片を引き抜くと、その引き抜きに伴って差し込み片に連続する部分が破断線から破れるものがある。このものは、封緘後、再度、開封すると、その破れ痕が残るため、中身を抜き取る等のいたずらを確認できる（特許文献２  要約、図１、図２参照）。
【先行技術文献】
【特許文献】
【０００４】
【特許文献１】特開２００６−１７６１４９号公報
【特許文献２】特開２００７−９１２８２号公報
【発明の概要】
【発明が解決しようとする課題】
【０００５】
上記従来の包装箱における蓋板のロック機能は、特許文献１の図２から理解できるように、差し込み口１７の幅が差し込み片１４の幅とほぼ同じ長さとなっている。このため、係嵌部１７ａから前壁１側に差し込み片１４を移動させて差し込み口１７から引き出すことが容易である。すなわち、蓋板６を容易に開くことができる。
この蓋板を容易に開くことができることは、包装した商品を箱から容易に抜き出し得ることである。すなわち、その「商品抜き出し」のいたずらが容易である。
【０００６】
この発明は、以上の実状の下、上記商品のいたずらがし難く、仮に、そのいたずら（商品の抜き出し）が行われれば、そのいたずらを容易に確認できるようにすることを課題とする。
【課題を解決するための手段】
【０００７】
上記課題を達成するため、この発明は、前後板、両側板、底板及び蓋板を有し、前記前後板、両側板の一の板にその上縁から内側に延びる副蓋板を連接し、前記蓋板の先端縁に差し込み片を設け、その差し込み片を前記副蓋板を連接した一の板と副蓋板との連接部の差し込み口に差し込み、その差し込み片両側縁から突出する鉤片を前記差し込み口の両側縁をなす前記副蓋板の縁に係止する四角状包装箱において、前記差し込み口のその長さ方向の長さを鉤片と差し込み片の両幅を足した長さより短く設定するとともに、その差し込み口を前記副蓋板を連接した板の上縁より後方に至る幅とし、その連接した一の板の上縁から後方の差し込み口の縁をなす副蓋板の縁に前記鉤片の付け根を係止するようにし、かつ、前記差し込み口の後方の蓋板に指掛け孔を形成し、その指掛け孔から鉤片の付け根に至るミシン目を形成した構成を採用したのである。
【０００８】
この構成の四角状包装箱は、差し込み片を斜めにして差し込み口に差し込んで鉤片を差し込み口の側縁をなす副蓋板の縁に係止する。この差し込み片を係止した状態においては、前後板及び両側板からなる四角枠状筒体の弾力によって差し込み片が前記副蓋板を連接した板の上縁から後方に押される。このため、差し込み口のその長さ方向の長さが上記鉤片と差し込み片の両幅を足した長さより短く設定されていることから、副蓋板を連接した板の上縁から後方の差し込み口の縁をなす副蓋板の縁と鉤片との係止を容易に外すことはできない。特に、前記四角枠状筒体がフィルム等によって包装されている場合は、殆ど不可能である。
したがって、この構成の四角状包装箱にあっては、上記指掛け孔からミシン目を介してそのミシン目内の蓋板を引き裂いて蓋板から差し込み片を離して蓋板を開封することとなる。その開封は、ミシン目部分が切り離されるため、その開封を確実に確認できる。
【０００９】
この構成において、上記指掛け孔内に嵌る舌片をその指掛け孔の縁をなす蓋板に設ければ、指掛け孔が舌片で塞がれるため、ある者にとっては見栄えの良いものとなる。
【発明の効果】
【００１０】
この発明は、以上のように構成したので、商品のいたずらがし難く、仮に、そのいたずら（商品の抜き出し等）が行われれば、差し込み片が切り離されるため、そのいたずらを容易に確認できる。
【図面の簡単な説明】
【００１１】
【図１】この発明に係る包装箱の一実施形態のブランクの平面図
【図２】同実施形態の斜視図
【図３】図２の要部断面図
【図４】同実施形態の作用説明図
【図５】他の実施形態のブランクの平面図
【図６】（ａ）〜（ｃ）は同実施形態の作用説明図
【発明を実施するための形態】
【００１２】
この発明に係わる四角状包装箱の一実施形態を図１〜図４に示し、この包装箱Ｐは、図１に示すような板紙ブランクから形成される。このブランクでは、前板１、側板２、後板３及び側板２が折り目線ｒを介して順々に連設され、前板１に継代片４が折り目線ｒを介して連設されている。前板１及び後板３の下端には底板５が、各側壁２の下端には底板６がそれぞれ折り目線ｒを介して連設され、一方の側板２の上端縁には蓋板７が、他方の側板２の上端には前頂板（副蓋板）８がそれぞれ折り目線ｒを介して連接されている。また、前板２の上縁に受止片９が折り目線ｒを介して連設され、後板３の上縁部は他の板１、２に比べて延長されてかん板１６となっている。このかん板１６には、収納する商品の効能などの宣伝文句等を記載することができる。なお、図中、細線は折り目線ｒ、太線は切り目線（切断線）を示す。
【００１３】
蓋板７の先端縁には差し込み片１０が折り目線ｒを介して連設され、この差し込み片１０の両側に外周縁が円弧状の鉤片１１が設けられている。また、上記前頂板８と側板２の連接縁に沿って差し込み口１２が形成されている。この差し込み口１２は、前頂板８の先端縁に向かって少し（幅ｔ）入り込んでおり、その長さ方向の長さＬ１は、上記鉤片１１と差し込み片１０の両幅を足した長さＬ２より短く（Ｌ１＜Ｌ２）設定されている（図１参照）。
このため、図２の鎖線から破線に示すように、差し込み片１０を斜めにして差し込み口１２に差し込んで鉤片１１の付け根１１ａを差し込み口１２の側縁をなす前頂板８の縁１２ａに係止する。このとき、差し込み片１０の先縁と連接縁は平行となっているとともに、鉤片１１の外縁が円弧状となって差し込み片１０の形状はほぼ平行四辺形となっている。  
【００１４】
このほぼ平行四辺形の差し込み片１０であると、一方の鉤片１１（図１において下側）の外縁がほぼ半円弧状で、他方の鉤片１１の外縁が１／４円の円弧状であることにより、図２鎖線から破線に示すように、前者の半円弧状外縁から差し込み片１０を差し込み口１２に入れ、その鉤片１１を側方（図２において右側））に押し込みながら後者の円弧状外縁を差し込み口１２の縁に滑らしながら差し込み片１０を差し込み口１２に嵌めることによって、上記係止は容易である。なお、その係止時、鉤片１１の付け根１１ａの幅Ｌ４は差し込み口１２の係止縁の幅Ｌ３はほぼ同じ長さとなる（Ｌ３≒Ｌ４）ように設定されている。
【００１５】
この差し込み片を係止した状態においては、図２に示すように、前後板１、３及び両側板２、２からなる四角枠状筒体の弾力によって差し込み片１０が一方の側板２の上縁から後方（他方の側板２側）に押される。このため、差し込み口１２のその長さ方向の長さＬ１を鉤片１１と差し込み片１０の両幅を足した長さＬ２より短く設定されていることから、前板１の縁から後方の差し込み口１２の縁をなす前頂板８の縁１２ａと鉤片１１の付け根１１ａとの係止を容易に外すことはできない。
【００１６】
さらに、差し込み口１２の後方の蓋板７には指掛け孔１３が形成され、その孔１３から鉤片１１の付け根１１ａに至るミシン目１４が形成されている。この両ミシン目１４、１４は、鉤片１１の基端（付け根１１ａ）から徐々に孔１３に向かってその間隔が狭まるように形成されている。
【００１７】
この実施形態の包装箱Ｐは以上の構成であり、図１に示すブランクを組み立てて商品を包装するには、図２に示すように、前板１、一対の側板２及び後板３を各折り目線ｒを介し折り曲げて、継代片４を後板３に貼り付けることにより枠状周壁を形成し、対向する底板５、６同士及び隣接する底板５、６を周知の方法によって折り目線ｒを介し内側に折り曲げるとともに底板５、６の１組ずつを貼り合わせた後、噛み合わせて底面を閉止する。
その後、箱Ｐ内に商品を収納し、まず、受止片９を内側水平方向へ折り曲げ、続いて、前頂板（副蓋板）８を同様に内側水平方向へ折り曲げる。
さらに、蓋板７を閉じて、差し込み片１０を差し込み口１２に差し込み、両側の鉤片１１、１１を差し込み口１２の縁をなす前頂板８の縁１２ａに係止して封緘する。
【００１８】
この封緘した箱を開封する際には、図３に示すように、指掛け孔１３を介してミシン目１４の間の蓋板片１５の縁に指を掛けてその片をミシン目１４を介して切り起こす。この切り起こしによって、蓋板７の差し込み片１０（鉤片１１）による前頂板８への係止は開放されて開封（蓋板７が起立）可能となる。また、両ミシン目１４、１４は鉤片１１の基端から徐々に孔１３に向かってその間隔が狭まるように形成されているため、その切り起こされた片１５は台形状をなし、その全ての幅が差し込み口１２の幅Ｌ１より狭いため、前頂板８も差し込み片１０（鉤片１１）に邪魔されることなく、開放（起立）可能となる（図６（ａ）〜同（ｃ）参照）。
このため、その蓋板７、前頂板８及び受止片９を起立させてこの箱Ｐを開放し（開緘し）、中の製品を取り出す。
【００１９】
一方、この製品を封緘した包装箱Ｐを販売展示している状態で、蓋板７を開けようとすると（起立させようとすると）、この封緘した差し込み片１０が差し込み口１２の縁１２ａに係止した状態においては、前後板１、３及び両側板２、２からなる四角枠状筒体の弾力によって差し込み片１０が側板２の上縁から後方に押されるため、差し込み口１２のその長さ方向の長さＬ１を鉤片１１と差し込み片１０の両幅を足した長さＬ２より短く設定されていることから、側板２の上縁から後方の差し込み口１２の縁をなす前頂板８の縁１２ａと鉤片１１の付け根１１ａとの係止を容易に外すことはできない。
【００２０】
このため、この包装箱Ｐにあっては、上記指掛け孔１３からミシン目１４を介してそのミシン目１４内の蓋板片１５を引き裂いて蓋板７から差し込み片１０を離して蓋板７を開封することとなる。その開封は、ミシン目部分が切り離されるため、その開封を確実に確認できる。また、差し込み片１０が蓋板７から切り離されると、その蓋板７は少なからず起立するため、その起立によっても、開封されたことを確認できる。
すなわち、商品を収納して一旦封緘すると、ミシン目１４を切断して差し込み片１０を分断しない限り開封することができず、物流過程等で不正に開封して商品にいたずらしようとしても、開封の痕跡が残ることとなり、不正の発見が容易になるので、いたずらを未然に防止することができる。
【００２１】
図５〜図６は他の実施形態を示し、この実施形態の包装箱Ｐは、上記実施形態において、上記指掛け孔１３内に嵌る舌片１７をその指掛け孔１３の縁をなす蓋板７に設けたものである。すなわち、指掛け孔１３を形成せず、その孔１３の周縁をなす切り目をいれたものである。
この包装箱Ｐは、図６（ａ）〜（ｃ）に示すように、その舌片１７を切り起こして指で摘み、以後、同様にして、両ミシン目１４の間の蓋板片１５を切り起こす。
また、上記実施形態と同様に、商品を収納して一旦封緘すると、切目線１４を切断して差し込み片１０を分断しない限り開封することができず、開封して商品にいたずらしようとしても、開封の痕跡が残るため、いたずらを未然に防止することができる。
【００２２】
上記各実施形態においては、側板２に副蓋板８を連接し、その連接部に差し込み口１２を形成したが、前頂板（副蓋板）８は前板１に連接し、その連接部に差し込み口１２を形成することができる。このとき、蓋板７は後板３の上縁に連接することとなる。
また、この発明に係る四角状包装箱の材料は、板紙に限らず、プラスチック板、ダンボール紙等の種々のものを採用できる。
【００２３】
因みに、この発明に係る包装箱Ｐの上面に、指掛け孔１３が形成され（図２）、又はその指掛け孔１３内に舌片１７が位置し（図６）、その指掛け孔１３から２条のミシン目１４、１４が両板２（１）、８の連接部に至っている部分の意匠は、従来に無かった新規なものであり、この部分の形状は、この発明に係る包装箱Ｐ以外の四角状包装箱に適宜に採用し得る。
【符号の説明】
【００２４】
Ｐ  包装箱
ｒ  折り目線
１  前板
２  側板
３  後板
４  継代片
５、６  底板
７  蓋板
８  副蓋板（前頂板）
１０  差し込み片
１１  鉤片
１１ａ  鉤片の付け根
１２  差し込み口
１２ａ  差し込み口の縁をなす副蓋板の縁
１３  指掛け孔
１４  ミシン目
１５  ミシン目内の蓋板片
１７  舌片
【図１】
2015229519.tif 000003
【図２】
2015229519.tif 000004
【図３】
2015229519.tif 000005
【図４】
2015229519.tif 000006
【図５】
2015229519.tif 000007
【図６】
2015229519.tif 000008